(57)【要約】【課題】火災検知部及び音響部の種類に応じた複数の機種に用いることができる集積化回路を備えた火災警報器を得る。【解決手段】火災現象に基づく物理量を検出する火災検知部、及び警報音を出力する音響部が少なくとも接続される集積化回路１を備え、入力されたＩＤ識別信号に基づいて、火災検知部として煙検出部２又は熱検出部３を選択し、音響部としてブザー回路４又はスピーカ回路５を選択し、選択した火災検知部に応じた火災検知動作、及び選択した音響部に応じた警報動作を行うものである。【選択図】図１
2010092348.tif 000002
【特許請求の範囲】
【請求項１】
火災現象に基づく物理量を検出する火災検知部、及び警報音を出力する音響部が少なくとも接続される集積化回路を備え、
前記集積化回路は、
前記火災検知部としての煙検出部を構成する発光回路が接続され得る発光回路接続端子と、
前記火災検知部としての煙検出部を構成する受光回路が接続され得る受光回路接続端子と、
前記火災検知部としての熱検出部が接続され得る熱検出部接続端子と、
前記音響部としてのブザー回路が接続され得るブザー回路接続端子と、
前記音響部としてのスピーカ回路を構成するスピーカが接続され得るスピーカ接続端子と、
前記受光回路接続端子と接続され、前記火災検知部としての煙検出部を構成する受光増幅回路と、
前記スピーカ接続端子と接続され、前記音響部としてのスピーカ回路を構成する音声増幅回路と、
前記音声増幅回路と接続され、前記音響部としてのスピーカ回路を構成するデジタルアナログ変換回路と、
前記発光回路接続端子と、前記受光増幅回路と、前記熱検出部接続端子と、前記ブザー回路接続端子と、前記デジタルアナログ変換回路とそれぞれ接続された制御部と
を備え、
前記制御部は、
入力されたＩＤ識別信号に基づいて、前記火災検知部として前記煙検出部又は前記熱検出部を選択し、前記音響部として前記ブザー回路又は前記スピーカ回路を選択し、
選択した前記火災検知部に応じた火災検知動作、及び選択した前記音響部に応じた警報動作を行うことを特徴とする火災警報器。
【請求項２】
火災現象に基づく物理量を検出する火災検知部、警報音を出力する音響部、及び電源供給を行う電源部が少なくとも接続される集積化回路を備え、
前記集積化回路は、
前記火災検知部としての煙検出部を構成する発光回路が接続され得る発光回路接続端子と、
前記火災検知部としての煙検出部を構成する受光回路が接続され得る受光回路接続端子と、
前記火災検知部としての熱検出部が接続され得る熱検出部接続端子と、
前記音響部としてのブザー回路が接続され得るブザー回路接続端子と、
前記音響部としてのスピーカ回路を構成するスピーカが接続され得るスピーカ接続端子と、
前記電源部としての直流電圧源又は交流電圧源が接続され得る電源接続端子と、
前記受光回路接続端子と接続され、前記火災検知部としての煙検出部を構成する受光増幅回路と、
前記スピーカ接続端子と接続され、前記音響部としてのスピーカ回路を構成する音声増幅回路と、
前記音声増幅回路と接続され、前記音響部としてのスピーカ回路を構成するデジタルアナログ変換回路と、
前記電源接続端子と接続され、前記電源部としての直流電圧源又は交流電圧源から供給される直流電圧を所定の定電圧として各構成部に供給する定電圧回路と、
前記発光回路接続端子と、前記受光増幅回路と、前記熱検出部接続端子と、前記ブザー回路接続端子と、前記デジタルアナログ変換回路と、前記定電圧回路とそれぞれ接続された制御部と
を備え、
前記制御部は、
入力されたＩＤ識別信号に基づいて、前記火災検知部として前記煙検出部又は前記熱検出部を選択し、前記音響部として前記ブザー回路又は前記スピーカ回路を選択し、前記電源部として前記直流電圧源又は前記交流電圧源を選択し、
選択した前記火災検知部に応じた火災検知動作、選択した前記音響部に応じた警報動作、及び選択した前記電源部に応じた所定動作を行うことを特徴とする火災警報器。
【請求項３】
前記制御部は、
前記ブザー回路接続端子からの入力電圧を、前記音響部のＩＤ識別信号とし、
前記ブザー回路接続端子の入力電圧がプルアップ又はプルダウンされたとき、前記音響部として前記ブザー回路を選択することを特徴とする請求項１又は２記載の火災警報器。
【請求項４】
前記制御部は、
前記熱検出部接続端子からの入力電圧を、前記火災検知部のＩＤ識別信号とし、
前記熱検出部接続端子の入力電圧がプルアップ又はプルダウンされたとき、前記火災検知部として前記煙検出部を選択することを特徴とする請求項１〜３の何れかに記載の火災警報器。
【請求項５】
前記制御部は、
前記熱検出部接続端子からの入力電圧に基づく温度検知信号を、前記火災検知部のＩＤ識別信号とし、
前記温度検知信号により求まる検知温度が、所定の温度範囲内のとき、前記火災検知部として前記熱検出部を選択することを特徴とする請求項１〜４の何れかに記載の火災警報器。
【請求項６】
前記集積化回路は、
前記煙検出部又は前記熱検出部、及び、前記ブザー回路又は前記スピーカ回路を選択したＩＤ情報が入力される記憶部接続端子を備え、
前記制御部は、
前記ＩＤ識別信号に基づき選択した前記煙検出部又は前記熱検出部、及び前記ブザー回路又は前記スピーカ回路と、前記ＩＤ情報とが一致しないとき、所定の異常出力動作を行うことを特徴とする請求項１〜５の何れかに記載の火災警報器。
【発明の詳細な説明】
【技術分野】
【０００１】
本発明は、集積化回路を備えた火災警報器に関するものである。
【背景技術】
【０００２】
従来の火災警報器は、電源部によって電源供給され、火災検知部によって火災を検出すると、音響部によって警報音を出力する構成である（例えば、特許文献１参照）。
【０００３】
【特許文献１】特開２００４−３６２５３７号公報
【発明の開示】
【発明が解決しようとする課題】
【０００４】
従来の火災警報器においては、火災現象に基づく物理量を検出する火災検知部として、煙を検出するものや熱を検出するものがある。また、警報音を出力する音響部として、ブザーにより出力するものや音声により出力するものがある。また、火災警報器を動作させる電源を供給する電源部として、電池などの直流電圧を用いるものや、商用電源などの交流電圧を用いるものがある。
そして、使用する火災検知部や音響部、電源部などの種類に応じた回路構成とすることで、複数の機種を構成している。
【０００５】
一方、火災警報器を構成する部品等をチップ化した集積化回路（IC：Integrated Circuit）を用いることで、火災警報器の小型化や製造工数の削減などを図ることが望まれている。
【０００６】
しかしながら、火災警報器を構成する部品等をチップ化した集積化回路を用いる場合、使用する火災検知部や音響部、電源部などの種類に応じた回路が形成された、機種専用の集積化回路を用いるのが現状である。
【０００７】
また、仮に、複数の機能を有する集積化回路を用いる場合を想定すると、当該集積化回路に設けられた端子（Ｉ／Ｏポート等）に所定の識別信号を入力することにより、動作する機能を切り替えることが考えられる。
【０００８】
しかしながら、上記のような識別信号を入力する専用の端子を集積化回路に設ける必要があり、集積化回路の端子数が増加してしまう、という問題点があった。
この問題点は集積化回路が有する機能が多いほど顕著である。
【０００９】
本発明は、上記のような課題を解決するためになされたもので、少なくとも火災検知部及び音響部の種類に応じた複数の機種に用いることができる集積化回路を備えた火災警報器を得るものである。
また、集積化回路に設けられる端子数を削減することができる火災警報器を得るものである。
【課題を解決するための手段】
【００１０】
本発明に係る火災警報器は、火災現象に基づく物理量を検出する火災検知部、及び警報音を出力する音響部が少なくとも接続される集積化回路を備え、前記集積化回路は、前記火災検知部としての煙検出部を構成する発光回路が接続され得る発光回路接続端子と、前記火災検知部としての煙検出部を構成する受光回路が接続され得る受光回路接続端子と、前記火災検知部としての熱検出部が接続され得る熱検出部接続端子と、前記音響部としてのブザー回路が接続され得るブザー回路接続端子と、前記音響部としてのスピーカ回路を構成するスピーカが接続され得るスピーカ接続端子と、前記受光回路接続端子と接続され、前記火災検知部としての煙検出部を構成する受光増幅回路と、前記スピーカ接続端子と接続され、前記音響部としてのスピーカ回路を構成する音声増幅回路と、前記音声増幅回路と接続され、前記音響部としてのスピーカ回路を構成するデジタルアナログ変換回路と、前記発光回路接続端子と、前記受光増幅回路と、前記熱検出部接続端子と、前記ブザー回路接続端子と、前記デジタルアナログ変換回路とそれぞれ接続された制御部とを備え、前記制御部は、入力されたＩＤ識別信号に基づいて、前記火災検知部として前記煙検出部又は前記熱検出部を選択し、前記音響部として前記ブザー回路又は前記スピーカ回路を選択し、選択した前記火災検知部に応じた火災検知動作、及び選択した前記音響部に応じた警報動作を行うものである。
【００１１】
また、本発明に係る火災警報器は、火災現象に基づく物理量を検出する火災検知部、警報音を出力する音響部、及び電源供給を行う電源部が少なくとも接続される集積化回路を備え、前記集積化回路は、前記火災検知部としての煙検出部を構成する発光回路が接続され得る発光回路接続端子と、前記火災検知部としての煙検出部を構成する受光回路が接続され得る受光回路接続端子と、前記火災検知部としての熱検出部が接続され得る熱検出部接続端子と、前記音響部としてのブザー回路が接続され得るブザー回路接続端子と、前記音響部としてのスピーカ回路を構成するスピーカが接続され得るスピーカ接続端子と、前記電源部としての直流電圧源又は交流電圧源が接続され得る電源接続端子と、前記受光回路接続端子と接続され、前記火災検知部としての煙検出部を構成する受光増幅回路と、前記スピーカ接続端子と接続され、前記音響部としてのスピーカ回路を構成する音声増幅回路と、前記音声増幅回路と接続され、前記音響部としてのスピーカ回路を構成するデジタルアナログ変換回路と、前記電源接続端子と接続され、前記電源部としての直流電圧源又は交流電圧源から供給される直流電圧を所定の定電圧として各構成部に供給する定電圧回路と、前記発光回路接続端子と、前記受光増幅回路と、前記熱検出部接続端子と、前記ブザー回路接続端子と、前記デジタルアナログ変換回路と、前記定電圧回路とそれぞれ接続された制御部とを備え、前記制御部は、入力されたＩＤ識別信号に基づいて、前記火災検知部として前記煙検出部又は前記熱検出部を選択し、前記音響部として前記ブザー回路又は前記スピーカ回路を選択し、前記電源部として前記直流電圧源又は前記交流電圧源を選択し、選択した前記火災検知部に応じた火災検知動作、選択した前記音響部に応じた警報動作、及び選択した前記電源部に応じた所定動作を行うものである。
【００１２】
また、本発明に係る火災警報器においては、前記制御部は、前記ブザー回路接続端子からの入力電圧を、前記音響部のＩＤ識別信号とし、前記ブザー回路接続端子の入力電圧がプルアップ又はプルダウンされたとき、前記音響部として前記ブザー回路を選択するものである。
【００１３】
また、本発明に係る火災警報器においては、前記制御部は、前記熱検出部接続端子からの入力電圧を、前記火災検知部のＩＤ識別信号とし、前記熱検出部接続端子の入力電圧がプルアップ又はプルダウンされたとき、前記火災検知部として前記煙検出部を選択するものである。
【００１４】
また、本発明に係る火災警報器においては、前記制御部は、前記熱検出部接続端子からの入力電圧に基づく温度検知信号を、前記火災検知部のＩＤ識別信号とし、前記温度検知信号により求まる検知温度が、所定の温度範囲内のとき、前記火災検知部として前記熱検出部を選択するものである。
【００１５】
また、本発明に係る火災警報器においては、前記集積化回路は、前記煙検出部又は前記熱検出部、及び、前記ブザー回路又は前記スピーカ回路を選択したＩＤ情報が入力される記憶部接続端子を備え、前記制御部は、前記ＩＤ識別信号に基づき選択した前記煙検出部又は前記熱検出部、及び前記ブザー回路又は前記スピーカ回路と、前記ＩＤ情報とが一致しないとき、所定の異常出力動作を行うものである。
【発明の効果】
【００１６】
本発明は、入力されたＩＤ識別信号に基づいて、火災検知部として煙検出部又は熱検出部を選択し、音響部としてブザー回路又はスピーカ回路を選択し、選択した火災検知部に応じた火災検知動作、及び選択した音響部に応じた警報動作を行う。よって、集積化回路を、火災検知部及び音響部の種類に応じた複数の機種に用いることができる。
【００１７】
また、入力されたＩＤ識別信号に基づいて、火災検知部として煙検出部又は熱検出部を選択し、音響部としてブザー回路又はスピーカ回路を選択し、電源部として直流電圧源又は交流電圧源を選択し、選択した火災検知部に応じた火災検知動作、選択した音響部に応じた警報動作、及び選択した電源部に応じた所定動作を行う。よって、集積化回路を、火災検知部、音響部及び電源部の種類に応じた複数の機種に用いることができる。
【００１８】
また、ブザー回路接続端子からの入力電圧を音響部のＩＤ識別信号とし、ブザー回路接続端子の入力電圧が、プルアップ又はプルダウンされたとき、音響部としてブザー回路を選択する。よって、集積化回路に設けられる端子数を削減することができる。
【００１９】
また、熱検出部接続端子からの入力電圧を火災検知部のＩＤ識別信号とし、熱検出部接続端子の入力電圧が、プルアップ又はプルダウンされたとき、火災検知部として煙検出部を選択する。よって、集積化回路に設けられる端子数を削減することができる。
【００２０】
また、熱検出部接続端子からの入力電圧に基づく温度検知信号を火災検知部のＩＤ識別信号とし、温度検知信号により求まる検知温度が、所定の温度範囲内のとき、火災検知部として熱検出部を選択する。よって、集積化回路に設けられる端子数を削減することができる。
【００２１】
また、ＩＤ識別信号に基づき選択した煙検出部又は熱検出部、及びブザー回路又はスピーカ回路と、ＩＤ情報とが一致しないとき、所定の異常出力動作を行う。よって、集積化回路に対する誤接続、又はＩＤ情報の誤設定を検知することができる。
【発明を実施するための最良の形態】
【００２２】
実施の形態１．
図１は実施の形態１に係る火災警報器のブロック構成図である。
図１に示すように火災警報器は、集積化回路１を備えている。
そして、集積化回路１には、火災検知部として、煙検出部２又は熱検出部３が選択的に接続される。
また、集積化回路１には、音響部として、ブザー回路４又はスピーカ回路５が選択的に接続される。
また、集積化回路１には、電源部８として直流電圧源又は交流電圧源が選択的に接続される。
さらに、集積化回路１には、ＥＥＰＲＯＭ６と、表示部７とが接続される。
【００２３】
この火災警報器は、電源部８から電源供給を受けて動作し、火災検知部により火災現象に基づく物理量を検出して、音響部により警報音を出力するものである。
また、この火災警報器は、集積化回路１に選択的に接続される構成部の種類によって複数の機種を構成する。
例えば、直流電圧源により動作し、火災による煙を検出して、ブザーにより警報音を出力する、又は交流電圧源により動作し、火災による熱を検出して、スピーカにより警告音を出力するなど、選択する構成部の種類に応じた動作が可能である。
このように、集積化回路１は、複数の機種に使用することができるものである。
【００２４】
尚、集積化回路１に選択的に接続される構成部の種類は、例えば火災警報器の製造時において、当該火災警報器の機種に応じて選択されるものである。
【００２５】
尚、図１においては、集積化回路１に、煙検出部２及び熱検出部３が共に接続されている状態を示している。
また、図１においては、集積化回路１に、ブザー回路４及びスピーカ回路５が共に接続されている状態を示している。
【００２６】
集積化回路１は、制御部１０と、発振器１１と、リセット部１２と、煙検出部２を構成する受光アンプ２４と、スピーカ回路５を構成する音声アンプ５２と、スピーカ回路５を構成する音声用ＤＡＣ＆ＬＰＦ５１と、確認灯ドライブ回路７０と、定電圧回路８０とを有している。
この集積化回路１は、各構成部を構成する多数の電子素子をチップ化して小型パッケージに封入した半導体電子部品である。
【００２７】
尚、受光アンプ２４は、本発明における受光増幅回路に相当する。
尚、音声アンプ５２は、本発明における音声増幅回路に相当する。
尚、音声用ＤＡＣ＆ＬＰＦ５１は、本発明におけるデジタルアナログ変換回路に相当する。
【００２８】
また、集積化回路１は、複数の接続端子（ポート）を備えている。
発光回路接続端子１０１は、煙検出部２を構成する赤外ＬＥＤドライブ回路２１が接続され得る。
受光回路接続端子１０２は、煙検出部２を構成するＰＤ変換回路２３が接続され得る。
熱検出部接続端子１０３及び１０４は、熱検出部３が接続され得る。
異常信号出力端子１０５は、制御部１０からの異常信号（後述）を出力する。
ＥＥＰＲＯＭ接続端子１０６は、ＥＥＰＲＯＭ６が接続される。
ブザー回路接続端子１０７は、ブザー回路４が接続され得る。
スピーカ接続端子１０８及び１０９は、スピーカ回路５を構成するスピーカ５３が接続され得る。
電源接続端子１１０は、電源部８としての直流電圧源又は交流電圧源が接続され得る。
電源ＩＤ端子１１１は、電源部８に係るＩＤ識別信号（後述）が入力される。
確認灯接続端子１１２及び１１３は、表示部７が接続される。
【００２９】
尚、赤外ＬＥＤドライブ回路２１は、本発明における発光回路に相当する。
尚、ＰＤ変換回路２３は、本発明における受光回路に相当する。
尚、ＥＥＰＲＯＭ接続端子１０６は、本発明における記憶部接続端子に相当する。
【００３０】
煙検出部２は、赤外ＬＥＤドライブ回路２１と、赤外ＬＥＤ２２と、ＰＤ変換回路２３とにより構成されている。
赤外ＬＥＤドライブ回路２１は、発光回路接続端子１０１を介して制御部１０と接続され、制御部１０からの指示により、赤外ＬＥＤ２２を駆動する。
赤外ＬＥＤ２２は、赤外光を発光する。この赤外光は、当該煙検出部２の内部に流入した煙により散乱する。
ＰＤ変換回路２３は、受光回路接続端子１０２を介して受光アンプ２４と接続される。このＰＤ変換回路２３は、赤外ＬＥＤ２２から発光され、煙により散乱した散乱光を受光する。
受光アンプ２４は、集積化回路１に形成されている。この受光アンプ２４は、制御部１０と接続され、ＰＤ変換回路２３の受光信号を増幅して制御部１０へ入力する。
このような煙検出部２により、制御部１０は、間欠的に赤外ＬＥＤ２２を発光させ、入力された受光信号をＡＤ変換して、煙の有無を判断して火災の発生を判断する。
【００３１】
熱検出部３は、抵抗３１と、サーミスタ３２とにより構成される。
抵抗３１は熱検出部接続端子１０３を介して制御部１０と接続される。
サーミスタ３２は抵抗３１と直列に接続される。
また、抵抗３１とサーミスタ３２との接続点は、熱検出部接続端子１０４を介して制御部１０と接続される。
このような熱検出部３は、火災による熱によりサーミスタ３２の抵抗値が変化し、抵抗３１とサーミスタ３２との分圧比が変化する。
そして、制御部１０は、間欠的に熱検出部接続端子１０３を介して抵抗３１及びサーミスタ３２に通電し、熱検出部接続端子１０４から入力された電圧（温度検知信号）をＡＤ変換して温度を検知し、この検知温度に基づいて火災の発生を判断する。
【００３２】
尚、温度の検知は、入力される電圧の範囲と検知温度の範囲とを対応付けることにより行う。例えば入力電圧０〜５Ｖに対し、−５０℃〜１００℃を設定する。
この検知温度の範囲は任意に設定することができるが、例えば平時（火災未発生時）に想定される温度範囲（例えば２５℃±１０℃）が、ＡＤ値レベルの中間値付近に設定するのが望ましい。
【００３３】
ＥＥＰＲＯＭ６は、ＥＥＰＲＯＭ接続端子１０６を介して制御部１０と接続される。
このＥＥＰＲＯＭ６は、少なくとも、火災検出部として煙検出部２又は熱検出部３、及び、音響部としてブザー回路４又はスピーカ回路５を選択したＩＤ情報が記憶され、当該ＩＤ情報を制御部１０に入力する。
このＩＤ情報に基づく制御部１０の動作については後述する。
【００３４】
尚、本実施の形態１においては、ＩＤ情報をＥＥＰＲＯＭ（Electrically Erasable and Programmable Read Only Memory）に記憶した場合を説明するが、本発明はこれに限るものでなく、他の不揮発性メモリ、又はＲＯＭ（Read Only Memory）などにＩＤ情報を記憶するようにしても良い。
【００３５】
ブザー回路４は、ブザー駆動回路４１と、ブザー４２とにより構成されている。
ブザー駆動回路４１は、ブザー回路接続端子１０７を介して制御部１０と接続される。
ブザー４２は、ブザー駆動回路４１により駆動される。
このブザー回路４の回路構成の一例について、図２により説明する。
【００３６】
図２は火災検出部として熱検出部３が接続され、音響部としてブザー回路４が接続されたときの回路構成を示す図である。
図２に示すように、ブザー回路４は、所定電位Ｖｂａｔの電源ラインに、抵抗Ｒを介してコイルＬが接続される。このコイルＬとダイオードＤを介して直列にトランジスタＱが接続される。そして、ブザー４２は、例えば圧電ブザーＢＺにより構成され、一方が電源ラインに接続され、他方がトランジスタＱを介して接地されている。
そして、制御部１０からのＰＷＭ信号をトランジスタＱのベースに与えることにより、トランジスタＱを駆動し、ＰＷＭパルスに応じてコイルＬに生じる誘起電圧によりブザー４２を駆動する。
【００３７】
また、図２に示すように、ブザー回路４を接続時においては、ブザー回路接続端子１０７は抵抗ＲＢＺを介してプルダウンされることとなる。
【００３８】
尚、ブザー回路４の回路構成はこれに限るものではなく、任意の回路構成とすることができる。また、本実施の形態１では、ブザー回路４を接続時において、ブザー回路接続端子１０７がプルダウンされる場合を説明するが、本発明はこれに限るものではなく、ブザー回路４を接続時において、ブザー回路接続端子１０７がプルアップされる構成としても良い。
【００３９】
再び図１において、スピーカ回路５は、音声用ＤＡＣ＆ＬＰＦ５１と、音声アンプ５２と、スピーカ５３とにより構成される。
音声用ＤＡＣ＆ＬＰＦ５１は、集積化回路１に形成されている。この音声用ＤＡＣ＆ＬＰＦ５１は、制御部１０と接続され、制御部１０から出力されたデジタル音声信号をアナログ音声信号に変換する。
また、音声用ＤＡＣ＆ＬＰＦ５１は、ローパスフィルタを有し、変換したアナログ音声信号のうち不要な周波数帯域をカットする。
音声アンプ５２は、集積化回路１に形成されている。音声アンプ５２は、スピーカ接続端子１０８及び１０９を介してスピーカ５３と接続される。この音声アンプ５２は、音声用ＤＡＣ＆ＬＰＦ５１により生成されたアナログ音声信号を増幅し、スピーカ５３へ出力する。
【００４０】
電源部８は、直流電圧を発生する直流電圧源としての電池８１、又は交流電圧源（図示せず）により構成される。電源部８は、電源接続端子１１０と接続される。
尚、図１においては、電源部８としての電池８１が接続された場合を示しているが、これに代えて、交流電圧源を接続するようにしても良い。交流電圧源としては、交流電圧を発生する交流電源と、交流電圧を直流電圧に変換するＡＣ−ＤＣ変換回路とにより構成される。
【００４１】
定電圧回路８０は、集積化回路１に形成されている。この定電圧回路８０は、電源接続端子１１０を介して電源部８と接続される。そして電源部８から供給される直流電圧を所定の定電圧として各構成部に供給する。
【００４２】
リセット部１２は、集積化回路１に形成されている。このリセット部１２は、定電圧回路８０から出力される電圧を検出し、所定の電圧以下となったとき、所定のリセット動作を行う。例えば定電圧回路８０の電圧が低下した場合に制御部１０が不定な動作をしないよう、制御部１０の動作を停止させる。
【００４３】
発振器１１は、集積化回路１に形成されている。この発振器１１は、制御部１０と接続され、制御部１０への所定の動作クロックを供給する。
【００４４】
表示部７は、緑色ＬＥＤ７１と、赤色ＬＥＤ７２とにより構成される。
緑色ＬＥＤ７１は、確認灯接続端子１１２を介して確認灯ドライブ回路７０と接続される。
赤色ＬＥＤ７２は、確認灯接続端子１１３を介して確認灯ドライブ回路７０と接続される。
【００４５】
確認灯ドライブ回路７０は、集積化回路１に形成されている。この確認灯ドライブ回路７０は、制御部１０と接続され、制御部１０からの指示により緑色ＬＥＤ７１及び赤色ＬＥＤ７２を駆動する。
【００４６】
制御部１０は、火災警報器全体を制御する。また、後述する動作により、入力されたＩＤ識別信号に基づいて、集積化回路１に選択的に接続される構成部の種類に応じた動作を行う。
【００４７】
以上、火災警報器を構成する各部の詳細構成について説明した。
次に、集積化回路１に選択的に接続される構成部の種類に応じた、火災警報器の動作について説明する。
【００４８】
（火災検知動作）
図３及び図４は火災検出部として煙検出部２が接続され、音響部としてスピーカ回路５が接続されたときの回路構成を示す図である。
まず、火災検出部として煙検出部２又は熱検出部３が選択的に接続されたときの火災検知動作について、図１〜図４を用いて説明する。
【００４９】
（熱検出部３を使用）
火災検知部として火災による熱を検出する場合、図２に示すように、熱検出部３が熱検出部接続端子１０３及び１０４に接続される。
尚、このとき、図１に示した、煙検出部２の赤外ＬＥＤドライブ回路２１及びＰＤ変換回路２３は、発光回路接続端子１０１及び受光回路接続端子１０２に接続されない。
このような状態において、制御部１０は、熱検出部接続端子１０４から入力される温度検知信号をＩＤ識別信号として、接続された火災検知部に応じた火災検知動作を行う。
【００５０】
まず、制御部１０は、電源投入時など所定タイミングにより、熱検出部接続端子１０３を介して抵抗３１及びサーミスタ３２に通電する。
そして、制御部１０は、熱検出部接続端子１０４から入力された温度検知信号（電圧）をＡＤ変換する。
このとき、サーミスタ３２は、その熱特性により設置環境に応じた抵抗値となる。そしてこのサーミスタ３２と抵抗３１との分圧比に応じた電圧が温度検知信号として制御部１０に入力される。
次に、制御部１０は、ＡＤ変換した温度検知信号（ＡＤ値レベル）により求まる検知温度が、所定の温度範囲内であるか否かを判断する。この温度範囲内は、検知範囲の上限値及び下限値を含まない範囲に設定する。例えば平時（火災未発生時）に想定される温度範囲、例えば２５℃±１０℃に設定する。
【００５１】
検知温度が所定温度範囲内である場合、制御部１０は、火災検知部として熱検出部３を選択する。
尚、検知温度が所定温度範囲内でない場合については後述する。
【００５２】
以降、選択した熱検出部３に応じた火災検知動作を行う。
即ち、制御部１０は、間欠的に熱検出部接続端子１０３を介して抵抗３１及びサーミスタ３２に通電し、熱検出部接続端子１０４から入力された電圧（温度検知信号）をＡＤ変換して、検知温度に基づいて火災の発生を判断する。
【００５３】
（煙検出部２を使用）
火災検知部として火災による煙を検出する場合、図１に示すように、煙検出部２の赤外ＬＥＤドライブ回路２１が発光回路接続端子１０１に接続され、ＰＤ変換回路２３が受光回路接続端子１０２に接続される。
このとき、図３に示すように、熱検出部接続端子１０４は、プルアップ抵抗Ｒｐｕを介してプルアップされる。また、熱検出部接続端子１０３に熱検出部３は接続されない。
このような状態において、制御部１０は、熱検出部接続端子１０４がプルアップされたときの入力電圧をＩＤ識別信号として、接続された火災検知部に応じた火災検知動作を行う。
【００５４】
まず、制御部１０は、電源投入時など所定タイミングにより、熱検出部接続端子１０４から入力された電圧をＡＤ変換する。
このとき、熱検出部接続端子１０４はプルアップされているので、Ｈｉレベルの電圧（ＶＤＤ）が制御部１０に入力される。よって、ＡＤ変換した入力電圧（ＡＤ値レベル）により求まる検知温度は上限値の温度となる。
【００５５】
次に、制御部１０は、検知温度が所定の温度範囲内であるか否かを判断する。この温度範囲内は、検知範囲の上限値及び下限値を含まない範囲に設定する。例えば平時（火災未発生時）に想定される温度範囲、例えば２５℃±１０℃に設定する。
【００５６】
上述のように検知温度は上限値となるため、制御部１０は、検知温度が所定温度範囲内でないと判断する。この場合、制御部１０は、火災検知部として煙検出部２を選択する。
【００５７】
以降、選択した煙検出部２に応じた火災検知動作を行う。
即ち、制御部１０は、赤外ＬＥＤドライブ回路２１を駆動して間欠的に赤外ＬＥＤ２２を発光させる。そして、ＰＤ変換回路２３により検出された受光信号が受光アンプ２４を介して制御部１０へ入力される。制御部１０はこの受光信号をＡＤ変換して、煙の有無を判断し、火災の発生を判断する。
【００５８】
尚、図３においては、熱検出部接続端子１０４がプルアップされた場合について説明したが、図４に示すように、熱検出部接続端子１０４がプルダウン抵抗Ｒｐｄを介してプルダウンするようにして、プルアップされたときの入力電圧をＩＤ識別信号とし、火災検知部として煙検出部２を選択するようにしても良い。
つまり、熱検出部接続端子１０４がプルダウンされると、Ｌｏｗレベルの電圧（ＧＮＤ）が制御部１０に入力される。このときＡＤ変換した入力電圧（ＡＤ値レベル）により求まる検知温度は下限値の温度となる。これにより制御部１０は検知温度が所定温度範囲内にないと判断する。
【００５９】
（警報動作）
次に、音響部としてブザー回路４又はスピーカ回路５が選択的に接続されたときの警報動作について、図１〜図３を用いて説明する。
【００６０】
（ブザー回路４を使用）
音響部としてブザーによる音を出力する場合、図２に示すように、ブザー回路４がブザー回路接続端子１０７に接続される。
尚、このとき、図１に示した、スピーカ回路５のスピーカ５３は、スピーカ接続端子１０８、１０９に接続されない。
このような状態において、制御部１０は、ブザー回路接続端子１０７がプルダウンされたときの入力電圧をＩＤ識別信号として、接続された音響部に応じた警報動作を行う。
【００６１】
まず、制御部１０は、電源投入時など所定タイミングにより、ブザー回路接続端子１０７から入力される電圧値を検出する。
ブザー回路４を接続時においては、図２に示すように、ブザー回路接続端子１０７は抵抗ＲＢＺを介してプルダウンされる。よって、Ｌｏｗレベルの電圧（ＧＮＤ）が制御部１０に入力される。
【００６２】
制御部１０は、検出した電圧値に基づいて、ブザー回路接続端子１０７がプルダウンされているか否かを判断する。
尚、プルダウンされているか否かの判断は、電圧値がゼロボルト又はその近傍の所定範囲内であるか否かにより判断する。
【００６３】
そして、ブザー回路接続端子１０７がプルダウンされていると判断したとき、音響部としてブザー回路４を選択する。
【００６４】
以降、選択したブザー回路４に応じた警報動作を行う。
即ち、制御部１０は、上述した火災検知動作により火災の発生を判断し、火災を検知したとき、ＰＷＭ信号をブザー回路接続端子１０７へ出力する。
これによりブザー駆動回路４１のトランジスタＱにＰＷＭ信号が与えられ、トランジスタＱを駆動して、ＰＷＭパルスに応じてコイルＬに生じた誘起電圧によりブザー４２を駆動する。
【００６５】
（スピーカ回路５を使用）
音響部としてスピーカによる音を出力する場合、図１に示すように、スピーカ回路５のスピーカ５３が、スピーカ接続端子１０８、１０９に接続される。
尚、このときブザー回路接続端子１０７には、ブザー回路４は接続されず、図３に示すように、プルアップ抵抗Ｒｓｐを介してプルアップされる。
このような状態において、制御部１０は、ブザー回路接続端子１０７がプルアップされたときの入力電圧をＩＤ識別信号として、接続された音響部に応じた警報動作を行う。
【００６６】
まず、制御部１０は、電源投入時など所定タイミングにより、ブザー回路接続端子１０７から入力される電圧値を検出する。
このとき、ブザー回路接続端子１０７はプルアップされているので、Ｈｉレベルの電圧（ＶＤＤ）が制御部１０に入力される。
【００６７】
制御部１０は、検出した電圧値に基づいて、ブザー回路接続端子１０７がプルアップされているか否かを判断する。
尚、プルアップされているか否かの判断は、電圧値が入力電圧の上限値（例えば５Ｖ）又はその近傍の所定範囲内であるか否かにより判断する。
【００６８】
そして、ブザー回路接続端子１０７がプルアップされていると判断したとき、音響部としてスピーカ回路５を選択する。
【００６９】
以降、選択したスピーカ回路５に応じた警報動作を行う。
即ち、制御部１０は、上述した火災検知動作により火災の発生を判断し、火災を検知したとき、デジタル音声信号を音声用ＤＡＣ＆ＬＰＦ５１へ出力する。
音声用ＤＡＣ＆ＬＰＦ５１は、制御部１０からのデジタル音声信号をアナログ音声信号に変換し、ローパスフィルタにより不要な周波数帯域をカットする。
そして、音声アンプ５２は、音声用ＤＡＣ＆ＬＰＦ５１からのアナログ音声信号を増幅し、スピーカ５３へ出力する。スピーカ５３はアナログ音声信号により音声等を発する。
【００７０】
尚、上記説明では、ブザー回路接続端子１０７がプルダウンされていると判断したとき、音響部としてブザー回路４を選択し、ブザー回路接続端子１０７がプルアップされていると判断したとき、音響部としてスピーカ回路５を選択する場合を説明した。
本発明はこれに限るものではなく、逆論理により音響部を選択するようにしても良い。
即ち、ブザー回路４が接続状態において、ブザー回路接続端子１０７がプルアップされる回路構成とし、ブザー回路接続端子１０７がプルアップされていると判断したとき、音響部としてブザー回路４を選択し、ブザー回路接続端子１０７がプルダウンされていると判断したとき、音響部としてスピーカ回路５を選択するようにしても良い。
【００７１】
（電源部８に応じた所定動作）
次に、電源部８として直流電圧源又は交流電圧源が選択的に接続されたときの所定の動作について、図１を用いて説明する。
【００７２】
図１において、電源ＩＤ端子１１１には、電源部８が直流電圧源又は交流電圧源の何れであるかを識別するＩＤ識別信号が入力される。
この電源ＩＤ端子１１１に入力されるＩＤ識別信号は、例えば、電源部８が直流電圧源であることを示す場合は、Ｈｉレベルの電圧（例えば５Ｖ）に設定され、電源部８が交流電圧源であることを示す場合は、Ｌｏｗレベルの電圧（例えばゼロボルト）に設定される。
このような状態において、制御部１０は、電源ＩＤ端子１１１から入力されたＩＤ識別信号に基づいて、接続された電源部８に応じた所定の動作を行う。
【００７３】
（直流電圧源を使用）
電源部８として直流電圧源を用いる場合、図１に示すように、電池８１が、電源接続端子１１０に接続される。
そして、電源ＩＤ端子１１１には、電源部８が直流電圧源であることを示すＩＤ識別信号（例えばＨｉレベル）が入力される。
【００７４】
まず、制御部１０は、電源投入時など所定タイミングにより、電源ＩＤ端子１１１から入力されるＩＤ識別信号を検出する。
【００７５】
制御部１０は、検出したＩＤ識別信号の電圧値に基づいて、電源部８が直流電圧源又は交流電圧源の何れであるかを判断する。
尚、この判断は、電圧値がＨｉレベル（例えば５Ｖ）又はその近傍の所定範囲内であるか否か、及び電圧値がＬｏｗレベル（例えばゼロボルト）又はその近傍の所定範囲内であるか否かにより判断する。
【００７６】
制御部１０は、電源部８が直流電圧源であると判断すると、電源部８に応じた所定動作として、必要時に確認灯ドライブ回路７０を駆動させ、赤色ＬＥＤ７２のみを点灯させる。
【００７７】
（交流電圧源を使用）
電源部８として交流電圧源を用いる場合、交流電源及びＡＣ−ＤＣ変換回路（図示せず）が電源接続端子１１０に接続される。
そして、電源ＩＤ端子１１１には、電源部８が交流電圧源であることを示すＩＤ識別信号（例えばＬｏｗレベル）が入力される。
【００７８】
このような状態において、上記動作と同様に、制御部１０は、検出したＩＤ識別信号の電圧値に基づいて、電源部８が直流電圧源又は交流電圧源の何れであるかを判断する。
【００７９】
制御部１０は、電源部８が交流電圧源であると判断すると、電源部８に応じた所定動作として、必要時に確認灯ドライブ回路７０を駆動させ、赤色ＬＥＤ７２及び緑色ＬＥＤ７１を共に点灯させる。
【００８０】
尚、電源部８に応じた所定動作は、これに限るものではなく任意の動作を行うことができる。例えば、直流電圧源であると判断した場合に、外部に接続された電池電圧を監視する回路等を駆動させるようにしても良い。
【００８１】
以上、集積化回路１に選択的に接続される構成部の種類に応じた、火災警報器の動作について説明した。
次に、集積化回路１に接続された構成部の状態と、制御部１０が選択した動作状態との不一致を検出する動作について説明する。
【００８２】
（異常検出）
上述したように、集積化回路１に選択的に接続される構成部の種類によって、制御部１０は、当該火災警報器の機種に応じた動作を行う。
ここで、例えば火災警報器の製造過程などにおいて、当該機種に応じて選択された構成部が、接続不良などにより集積化回路１に接続されない場合、制御部１０は当該機種と異なる動作を行うこととなる。
このような、集積化回路１に接続された構成部の接続状態と、制御部１０が選択した動作状態との不一致を検出する動作について、図５を用いて説明する。
【００８３】
尚、この異常検出は、例えば火災警報器の製造工程において行うことが想定されるが、これに限らず、火災警報器が設置状態においても電源投入時や所定タイミングにより行うようにしても良い。
【００８４】
図５は異常検出動作を示すフローチャートである。
以下、図５の各ステップに基づいて説明する。
【００８５】
（Ｓ１）
制御部１０は、電源投入されると異常検出動作を開始する。
【００８６】
（Ｓ２）
次に制御部１０は、上述した動作により、集積化回路１に選択的に接続される構成部の種類に応じて入力されたＩＤ識別信号に基づいて、火災検出部として煙検出部２又は熱検出部３、及び、音響部としてブザー回路４又はスピーカ回路５を選択する。
【００８７】
（Ｓ３）
制御部１０は、ＥＥＰＲＯＭ接続端子１０６を介して接続されたＥＥＰＲＯＭ６から、ＩＤ情報を読み込む。
ここでＥＥＰＲＯＭ６には、少なくとも、火災検出部として煙検出部２又は熱検出部３、及び、音響部としてブザー回路４又はスピーカ回路５を選択したＩＤ情報が予め記憶されている。
【００８８】
（Ｓ４）
制御部１０は、入力されたＩＤ識別信号により選択した火災検知部及び音響部と、ＩＤ情報により選択された火災検知部及び音響部とを比較し、共に一致するか否かを判断する。
【００８９】
（Ｓ５）
ステップＳ４において、一致しないと判断した場合、制御部１０は、異常出力動作として、異常信号を異常信号出力端子１０５へ出力する。
【００９０】
尚、この異常信号出力端子１０５には、例えば火災警報器を診断・設定する試験機器などが接続される。
尚、異常信号の出力は、異常信号出力端子１０５に限らず、例えば通信手段を設けて、試験機器などと通信するようにしても良い。
【００９１】
尚、異常出力動作は、これに限らず、異常信号出力端子１０５への異常信号出力に代え、又はこれと共に、表示部７による所定の表示や、音響部により所定の音又は音声を発するようにしても良い。
例えば、表示部７の各ＬＥＤを正常時と異なる点滅状態とする。また、例えばスピーカ回路５から「異常です。」などの音声を出力させる。
【００９２】
（Ｓ６）
制御部１０は、異常検出動作を終了する。
尚、異常検出動作を終了すると共に、当該火災警報器が誤動作をしないように、制御部１０の動作を停止させるようにしても良い。
【００９３】
（Ｓ７）
一方、ステップＳ４において、一致すると判断した場合、制御部１０は正常モードに移行し、通常の動作処理を行う。
【００９４】
（Ｓ８）
制御部１０は、異常検出動作を終了する。
【００９５】
このような動作により、集積化回路１に接続された構成部の接続状態と、制御部１０が選択した動作状態との不一致を検出することが可能となる。
【００９６】
以上のように本実施の形態においては、制御部１０は、入力されたＩＤ識別信号に基づいて、火災検知部として煙検出部２又は熱検出部３を選択し、音響部としてブザー回路４又はスピーカ回路５を選択し、選択した火災検知部に応じた火災検知動作、及び選択した音響部に応じた警報動作を行う。
よって、集積化回路１を、火災検知部及び音響部の種類に応じた複数の機種に用いることができる。
【００９７】
また、制御部１０は、電源ＩＤ端子１１１から入力されたＩＤ識別信号に基づいて、電源部８として直流電圧源又は交流電圧源を選択し、選択した電源部８に応じた所定動作を行う。
よって、集積化回路１を、電源部８の種類に応じた複数の機種に用いることができる。
【００９８】
また、火災警報器を構成する構成部の一部を集積化回路１に形成する。これにより、火災警報器の小型化や製造工数の削減などを図ることができる。
【００９９】
また、赤外ＬＥＤドライブ回路２１及びＰＤ変換回路２３は、集積化回路１に形成しない。これにより、集積化に伴う精度低減が生じることがなく、高精度に煙の発生を検知することができる。
【０１００】
また、ブザー駆動回路４１は、集積化回路１に形成しない。これにより、容量の大きいコイルを用いてブザー４２を駆動することができる。
【０１０１】
また、制御部１０は、ブザー回路接続端子１０７からの入力電圧を音響部のＩＤ識別信号とし、ブザー回路接続端子１０７の入力電圧が、プルアップ又はプルダウンされたとき、音響部としてブザー回路４を選択する。
よって、集積化回路１に設けられる端子数を削減することができる。
【０１０２】
また、制御部１０は、熱検出部接続端子１０４からの入力電圧を火災検知部のＩＤ識別信号とし、熱検出部接続端子１０４の入力電圧が、プルアップ又はプルダウンされたとき、火災検知部として煙検出部２を選択する。
よって、集積化回路１に設けられる端子数を削減することができる。
【０１０３】
また、制御部１０は、熱検出部接続端子１０４からの入力電圧に基づく温度検知信号を火災検知部のＩＤ識別信号とし、温度検知信号により求まる検知温度が、所定の温度範囲内のとき、火災検知部として熱検出部３を選択する。
よって、集積化回路１に設けられる端子数を削減することができる。
【０１０４】
また、制御部１０は、入力されたＩＤ識別信号に基づき選択した煙検出部２又は熱検出部３、及びブザー回路４又はスピーカ回路５と、ＥＥＰＲＯＭ６に記憶されたＩＤ情報とが一致しないとき、所定の異常出力動作を行う。
よって、集積化回路１に対する誤接続、又はＩＤ情報の誤設定を検知することができる。
【０１０５】
尚、本実施の形態においては、制御部１０は、集積化回路１に接続された構成部の接続状態により火災検知部及び音響部を選択した。また、制御部１０は電源ＩＤ端子１１１からのＩＤ識別信号により電源部８の種類を判断した。
本発明はこれに限るものではなく、制御部１０は、ＥＥＰＲＯＭ６から入力されたＩＤ情報をＩＤ識別信号とし、このＩＤ情報のみにより、火災検知部、音響部、及び電源部８の種類を選択するようにしても良い。
このような動作によっても、集積化回路１を、火災検知部、音響部、及び電源部８の種類に応じた複数の機種に用いることができる。また、火災警報器の小型化や製造工数の削減などを図ることができる。
【０１０６】
尚、本実施の形態においては、制御部１０は、集積化回路１に接続された構成部の接続状態により火災検知部及び音響部の種類を選択した。
本発明はこれに限るものではなく、集積化回路１に、火災検知部を選択するＩＤ専用端子、及び音響部を選択するＩＤ専用端子を設けて、火災検知部が煙検出部２又は熱検出部３の何れであるかを識別するＩＤ識別信号、及び音響部がブザー回路４又はスピーカ回路５の何れであるかを識別するＩＤ識別信号を入力するようにしても良い。
このような構成によっても、制御部１０は、これらＩＤ専用端子から入力されたＩＤ識別信号に基づいて、火災検知部及び音響部の種類を選択することができる。
よって、集積化回路１を、火災検知部及び音響部の種類に応じた複数の機種に用いることができる。また、火災警報器の小型化や製造工数の削減などを図ることができる。
【０１０７】
尚、本実施の形態においては、集積化回路１に、煙検出部２を構成する受光アンプ２４、並びに、スピーカ回路５を構成する音声用ＤＡＣ＆ＬＰＦ５１及び音声アンプ５２を形成する場合を説明した。
本発明はこれに限るものではなく、これらの機器を集積化回路１の外部に備えるようにしても良い。
このような構成によっても、制御部１０は、各構成部の接続状態により火災検知部及び音響部を選択することができる。よって、集積化回路１に設けられる端子数を削減することができる。
尚、本実施の形態において、前記ＩＤ識別信号等は、火災警報器の各種設定情報を工場で設定する際にも利用することもできる。例えばＥＥＰＲＯＭに該当する動作パラメータ情報などを書き込む場合に、ＩＤ識別信号等を読み込んで、該ＩＤ識別信号等と動作パラメータ情報との照合を行うようにすれば、例えば火災検知部として煙検知部が接続されているのに熱検知部の情報を誤って書き込んでしまうことを避けることができる。
【図面の簡単な説明】
【０１０８】
【図１】実施の形態１に係る火災警報器のブロック構成図である。
【図２】火災検出部として熱検出部３が接続され、音響部としてブザー回路４が接続されたときの回路構成を示す図である。
【図３】火災検出部として煙検出部２が接続され、音響部としてスピーカ回路５が接続されたときの回路構成を示す図である。
【図４】火災検出部として煙検出部２が接続され、音響部としてスピーカ回路５が接続されたときの回路構成を示す図である。
【図５】異常検出動作を示すフローチャートである。
【符号の説明】
【０１０９】
１  集積化回路、２  煙検出部、３  熱検出部、４  ブザー回路、５  スピーカ回路、６  ＥＥＰＲＯＭ、７  表示部、８  電源部、１０  制御部、１１  発振器、１２  リセット部、２１  赤外ＬＥＤドライブ回路、２２  赤外ＬＥＤ、２３  ＰＤ変換回路、２４  受光アンプ、３１  抵抗、３２  サーミスタ、４１  ブザー駆動回路、４２  ブザー、５１  音声用ＤＡＣ＆ＬＰＦ、５２  音声アンプ、５３  スピーカ、７０  確認灯ドライブ回路、７１  緑色ＬＥＤ、７２  赤色ＬＥＤ、８０  定電圧回路、８１  電池、１０１  発光回路接続端子、１０２  受光回路接続端子、１０３  熱検出部接続端子、１０４  熱検出部接続端子、１０５  異常信号出力端子、１０６  ＥＥＰＲＯＭ接続端子、１０７  ブザー回路接続端子、１０８  スピーカ接続端子、１０９  スピーカ接続端子、１１０  電源接続端子、１１１  電源ＩＤ端子、１１２  確認灯接続端子、１１３  確認灯接続端子。
【図１】
2010092348.tif 000003
【図２】
2010092348.tif 000004
【図３】
2010092348.tif 000005
【図４】
2010092348.tif 000006
【図５】
2010092348.tif 000007